(57)【要約】【課題】ランプ寿命を確保しつつ出力光のチラツキを抑え得るフィラメントコイルをもつ蛍光ランプを提供する。【解決手段】本発明の蛍光ランプ１は、ガラス管２と、ガラス管２の内面側に設けられる蛍光体層２ｋと、熱電子放射物質が担持されたフィラメントコイル１２がインナーリード線５に支持されている電極６とを備え、内部に希ガスと水銀とが封入され、フィラメントコイル１２は、３重に螺旋状に形成された３重コイル１５であり、３重コイル１５を形成する２重コイル１４のピッチをＰ２とし、２重コイル１４を形成する１重コイル１３の一巻のコイルの最も長い径の長径をなすコイル１２ａの外径を横ＣＤ１とした場合、１００％＜（Ｐ２／横ＣＤ１）×１００％≦１４０％である。【選択図】図３
2018049755.tif 000002
【特許請求の範囲】
【請求項１】
ガラス管と、
前記ガラス管の内面側に設けられる蛍光体層と、
熱電子放射物質が担持されたフィラメントコイルがインナーリード線に支持されている電極とを備え、
内部に希ガスと水銀とが封入され、
前記フィラメントコイルは、３重に螺旋状に形成された３重コイルであり、
前記３重コイルを形成する２重コイルのピッチをＰ２とし、前記２重コイルを形成する螺旋状の１重コイルの一巻のコイルの最も長い径の長径をなすコイルの外径を横ＣＤ１とした場合、
１００％＜（Ｐ２／横ＣＤ１）×１００％≦１４０％
であることを特徴とする蛍光ランプ。
【請求項２】
ガラス管と、
前記ガラス管の内面側に設けられる蛍光体層と、
熱電子放射物質が担持されたフィラメントコイルがインナーリード線に支持されている電極とを備え、
内部に希ガスと水銀とが封入され、
前記フィラメントコイルは、２重に螺旋状に形成された２重コイルであり、
前記２重コイルを形成する螺旋状の１重コイルのピッチをＰ１とし、前記１重コイルの径をＦＤ１とした場合、
１００％＜（Ｐ１／ＦＤ１）×１００％≦１４０％
であることを特徴とする蛍光ランプ。 
【請求項３】
前記ガラス管は直管または環形状を有する  
ことを特徴とする請求項１または請求項２に記載の蛍光ランプ。
【発明の詳細な説明】
【技術分野】
【０００１】
本発明は、蛍光ランプに関する。
【背景技術】
【０００２】
従来、蛍光ランプを商用周波数で交流点灯させる際、エミッタからの電子の放電過程の電極近傍では、陰極サイクル時には電極から電子が放射され、陽極サイクル時にはプラス電極に電子が入射されるが、その陽極サイクル時において、陽極振動が発生する。
【０００３】
陽極サイクル時において、電子は陽極降下電圧により加速され、大きなエネルギを持って陽極表面に到達する。そして、電極付近の水銀原子に衝突し、過剰の電離を引き起こす。その結果として陽極付近は電子密度が増大し、陽極降下電圧が一時的にゼロになる。その後、電子が徐々に拡散して電子密度が低下する。
【０００４】
電子密度が所定のレベルまで低下すると再び陽極降下電圧が発生し、陽極降下電圧で電子が加速されて電子密度が増大する。電子密度の増大により、陽極降下電圧が一時的にゼロになる。このサイクルを「陽極振動」といい、数ｋＨｚの周期でこの振動が繰り返される。
【０００５】
陽極振動が安定して発生している状態では、蛍光体からのランプ出力光は比較的安定した状態で蛍光ランプから放射される。ところが、フィラメントコイルに被着させた電子放出物質が点灯により消耗すると、陽極サイクル時の電極において、電子の流入する部位が広がるため、電流密度が不規則に変化する。その結果、陽極振動が不規則に発生と消滅とを繰り返すこととなり、ランプ出力光に目視で感知される“チラツキ”が発生するようになる。
なお、“チラツキ”は、銅鉄安定器による点灯での特有の現象である。
【先行技術文献】
【特許文献】
【０００６】
【特許文献１】特開2008-198598号公報（段落００２６、００２７、図２、図７等）
【発明の概要】
【発明が解決しようとする課題】
【０００７】
蛍光ランプの電極に用いられるフィラメントコイルは３重コイル等が用いられる。
フィラメントコイルは、３重コイル等の最終ターンのピッチが狭いと、陽極振動が不安定となりランプの出力光にチラツキが発生することが知られている。そこで、最終ターンを広くとる必要がある。
【０００８】
そこで、特許文献１に示すように、フィラメントコイルを蛍光ランプ内に収まる大きさとするためには最終ターン数を減らす必要がある。そのため、フィラメントコイルの主線(タングステン線)の線長が短くなり、フィラメントコイルに塗布され電子を放出するエミッタの量が少なくなり、電子の放出能力が低下し、ランプの寿命も短くなってしまう。詳細には、エミッタは、ランプが点灯している時に剥離・脱落、及び熱蒸発して点灯時間の経過とともに消耗していき、ランプが点灯できなくなるまでエミッタが消耗してしまうと、ランプは点灯寿命に達し、消えてしまう。
【０００９】
本発明は上記実状に鑑み創案されたものであり、ランプ寿命を確保しつつ出力光のチラツキを抑え得るフィラメントコイルをもつ蛍光ランプの提供を目的とする。
【課題を解決するための手段】
【００１０】
前記課題を解決するため、第１の本発明の蛍光ランプは、ガラス管と、 前記ガラス管の内面側に設けられる蛍光体層と、熱電子放射物質が担持されたフィラメントコイルがインナーリード線に支持されている電極とを備え、内部に希ガスと水銀とが封入され、前記フィラメントコイルは、３重に螺旋状に形成された３重コイルであり、前記３重コイルを形成する２重コイルのピッチをＰ２とし、前記２重コイルを形成する螺旋状の１重コイルの一巻のコイルの最も長い径の長径をなすコイルの外径を横ＣＤ１とした場合、
１００％＜（Ｐ２／横ＣＤ１）×１００％≦１４０％  である。
【００１１】
第２の本発明の蛍光ランプは、ガラス管と、 前記ガラス管の内面側に設けられる蛍光体層と、熱電子放射物質が担持されたフィラメントコイルがインナーリード線に支持されている電極とを備え、内部に希ガスと水銀とが封入され、前記フィラメントコイルは、２重に螺旋状に形成された２重コイルであり、前記２重コイルを形成する螺旋状の１重コイルのピッチをＰ１とし、前記１重コイルの径をＦＤ１とした場合、
１００％＜（Ｐ１／ＦＤ１）×１００％≦１４０％  である。
【発明の効果】
【００１２】
本発明によれば、ランプ寿命を確保しつつ出力光のチラツキを抑え得るフィラメントコイルをもつ蛍光ランプを実現できる。
【図面の簡単な説明】
【００１３】
【図１】本発明の実施形態に係る直管蛍光ランプを示す正面及び部分断面図。
【図２】（ａ）はエミッタ付きフィラメントを拡大して示す 図１のＡ部拡大図、（ｂ）は（ａ）のエミッタ付きフィラメントのＢ部拡大図、（ｃ）は、（ｂ）のＣ方向矢視図。
【図３】（ａ）はエミッタ付きフィラメントからエミッタを除去したフィラメントを拡大して示す 図１のＡ部拡大図、（ｂ）は（ａ）のフィラメントのＤ部拡大図、（ｃ）は（ｂ）のＥ方向矢視図。
【図４】蛍光ランプのスタータ式の点灯回路を示す図。
【図５】蛍光ランプの電圧波形を示す図。
【図６】陽極振動の発生時の蛍光ランプの電極の近傍の模式図。
【図７】陽極振動の発生時の蛍光ランプの電極の近傍の模式図。
【図８】（ａ）は陽極振動が常に発生している状態の蛍光ランプの電圧波形を示す図、（ｂ）は陽極振動が発生したり、消滅したりしている状態の蛍光ランプの電圧波形を示す図。
【図９】陽極振動発生時の蛍光ランプの電極の近傍の模式図。
【図１０】評価に用いたフィラメントコイルを示す図。
【図１１】別例１の環形の蛍光ランプのガラス管２２を示す斜視図。
【図１２】別例２の２重コイルのフィラメントコイルを示す図。
【発明を実施するための形態】
【００１４】
以下、本発明の実施形態について、適宜図面を参照しながら詳細に説明する。
図１は、本発明の実施形態に係る直管蛍光ランプを示す正面及び部分断面図である。
蛍光ランプ１は、ガラス管２の両端に口金４ｋが繋げられている。口金４ｋには、一対の口金ピン４が設けられ、口金ピン４は、ガラス管２の内部に設けられる電極６と電気的に接続されている。
口金ピン４は、図示しない照明器具のプラグに嵌合され、電源に接続される。
【００１５】
ガラス管２は、両端部が封止された直管状の管状体で形成されている。
ガラス管２の直管の外径は、蛍光ランプ電力に応じた所定の規格にて設定される。
ガラス管２の厚さは、例えば、１．０±０．１ｍｍ程度とされるが、これに限定されない。ガラス管２は、いわゆる鉛フリーガラスで形成されている。鉛フリーガラスとは、鉛、具体的には酸化鉛（ＩＩ）を含まずに、鉛ガラスを使用していた用途に対応できるように、ガラス加工温度を低下させたガラスである。
【００１６】
ガラス管２の内面側には、図示しない保護層を介して蛍光体層２ｋが設けられている。保護層は、ガラス管２から外部に紫外光が放出されるのを抑制する。保護層としては、例えば、二酸化ケイ素、酸化アルミニウム（III）等の微粒子を含む層で形成される。
ガラス管２の内部には、水銀あるいは水銀化合物と希ガス（図示せず）が封入されている。
【００１７】
ガラス管２の両端部には、エミッタ付きフィラメント３が２本のインナーリード線５で圧着され設けられている。すなわち、インナーリード線５が塑性変形してエミッタ付きフィラメント３を支持している。こうして、インナーリード線５間でフィラメント３が支持されている電極６が設けられている。
【００１８】
図２（ａ）は、エミッタ付きフィラメント３を拡大して示す 図１のＡ部拡大図であり、 図２（ｂ）は 、図２（ａ）のエミッタ付きフィラメント３のＢ部拡大図であり、 図２（ｃ）は 、図２（ｂ）のＣ方向矢視図である。
図３（ａ）は、エミッタ付きフィラメント３からエミッタ１１を除去したフィラメントコイル１２を拡大して示す 図１のＡ部拡大図であり、 図３（ｂ）は 、図３（ａ）のフィラメントコイル１２のＤ部拡大図であり、 図３（ｃ）は 、 図３（ｂ）のＥ方向矢視図である。
【００１９】
エミッタ付きフィラメント３は、フィラメントコイル１２と、フィラメントコイル１２を被覆する電子放射性物質であるエミッタ１１とを有している。エミッタ１１はフィラメントコイル１２に坦持されている。
エミッタ１１は、バリウム（Ｂａ）、ストロンチウム（Ｓｒ）、カルシウム（Ｃａ）等の金属酸化物を溶剤の中に溶かしたものが用いられ、フィラメントコイル１２を被覆している（図２（ａ）〜（ｃ）参照）。
【００２０】
フィラメントコイル１２は、３重の螺旋コイル構造の３重コイル１５（図３（ａ）、（ｂ）参照）を有している。
図３（ｂ）に示すように、３重コイル１５は、電線１２ａを芯線１２ｂの周りに螺旋状に巻回して１重コイル１３とし、１重コイル１３を螺旋状に巻回して２重コイル１４とし、２重コイル１４を螺旋状に巻回して３重コイル１５（図３（ａ）参照）として形成したものである。
【００２１】
芯線１２ｂの周囲に電線１２ａが螺旋状に巻回される１重コイル１３の電線１２ａの巻回形状は、芯線１２ｂ周りに略楕円形になっている。この略楕円形は、２重コイル１４の螺旋の中心軸方向ｏ１（図３（ｂ）参照）に対して長径となるように形成されている。
なお、３重コイル１５を形成する際には、図示しないモリブデン線が使用され、３重コイル１５の形成後に、モリブデン線が除去される。
【００２２】
フィラメントコイル１２は、例えば、耐熱性が高いタングステン線が用いられ、電線１２ａおよび芯線１２ｂは、タングステン、レニウム−タングステン合金等で形成されている。
２本のインナーリード線５は、２本の口金ピン４とカシメにより接続されている。外部からのフィラメントコイル１２への給電は、口金ピン４、インナーリード線５を介して行われる。
【００２３】
図３（ａ）において、ＭＤ３は、３重コイル１５の内径、Ｐ３は、３重コイル
１５のピッチ、ＣＬは３重コイル１５の軸方向の長さである。
図３（ｂ）、（ｃ）において、ＭＤ２は、２重コイル１４の内径、Ｐ２は、２重コイル１４のピッチである。また、ＭＤ１は、図示しないモリブデン線の内径、Ｐ１は、１重コイル１３のピッチである。横ＣＤ１は、螺旋状の１重コイル１３の一巻のコイルの最も長い径の長径をなすコイル（電線１２ａ）の外径である。ＦＤ１は、電線１２ａの線径であり、ＦＤ２は、芯線１２ｂの線径である。なお、モリブデン線は３重コイル１５を製作する際に使用され、３重コイル１５を形成後に除去される。
【００２４】
蛍光ランプ１（図１参照）は、常法により製造することができる。また、蛍光ランプ１の点灯回路としては、スタータ式、ラピッドスタート式、インバータ式（高周波点灯式）等のものを使用することができる。
【００２５】
図４は、蛍光ランプ１のスタータ式の点灯回路を示す図である。
点灯回路は、蛍光ランプ１、安定器１７、グロースタータ１８、コンデンサ１９を有して構成される。
蛍光ランプ１の一方側の口金ピン４ａ１は電源の一方側の端子に接続され、他方側の口金ピン４ａ２は、グロースタータ１８およびコンデンサ１９の一方側の端子に接続される。
【００２６】
蛍光ランプ１の他方側の口金ピン４ｂ１は安定器１７の一方側の端子に接続され、他方側の口金ピン４ｂ２は、グロースタータ１８およびコンデンサ１９の他方側の端子に接続される。安定器１７の他方側の端子は電源の他方側の端子に接続される。
【００２７】
蛍光ランプ１を点灯するに際しては、口金ピン４ａ１、４ｂ１を介して、エミッタ１１を保持したフィラメントコイル１２に給電され、電極６間に放電を開始させる電圧が印加され、電極６間の放電により、蛍光ランプは点灯する。
【００２８】
詳細には、点灯回路に電源が入ると、グロースタータ１８が短絡され、フィラメントが約１〜３秒加熱され電極間で放電が起きる。放電の熱でグロースタータ１８が開いた時に蛍光ランプ１の両電極６にキック電圧が発生し、電極６から放電が開始される。マイナスの電極６の電子放射性物質のエミッタ１１から電子が放出（放電）され、水銀原子に当たる。これにより、水銀原子から紫外線が放出され、ガラス管２の内面側の蛍光体層２ｋに当たり、蛍光が外部に発光され、蛍光ランプ１が点灯する。
【００２９】
＜蛍光ランプ１の光の変動＞
スタータ式、ラピッドスタート式の蛍光ランプ１は、交流点灯するため光の変動を生じる場合がある。 
光の変動には、 
（１）蛍光ランプ１の点灯周波数に依存する周期的な変動のブリンク、フリッカと、   
（２）蛍光ランプ１の点灯周波数に依存しない不規則な変動のチラツキ
とがある。
【００３０】
（２）のチラツキは、使用者が視認できることから不快に感じ、問題となる。 
従来よりチラツキ発生はフィラメント形状に起因することが分っており、フィラメント諸元の設計基準に規定されている。
また、チラツキは銅鉄安定器点灯、すなわち交流点灯での特有の現象である。 
そこで、 チラツキの原因究明および対策の検討を開始した。 
チラツキは、下記の陽極振動が発生原因であることが分っている。
＜陽極振動＞
【００３１】
次に、陽極振動の発生メカニズムについて説明する。
図５は、蛍光ランプ１の電圧波形を示す図である。図６、図７は、陽極振動の発生時の蛍光ランプ１の電極６の近傍の模式図である。
【００３２】
陽極サイクル時、図５の陽極降下電圧により電子が加速され、エネルギの高い電子となる。図６に示すように、エネルギの高い電子が水銀原子との衝突により、過剰の電離を引き起こす。その結果、電極６の周辺の電子密度が増大し陽極降下電圧が徐々に低下し消滅する。陽極降下電圧がなくなることで、図７に示すように、電子の加速が抑制され、過剰な電離が発生しなくなり、電子が徐々に拡散し電子密度が低下する。そして、再び陽極降下電圧が発生する。このサイクルを陽極振動という。
つまり、電極付近の電子密度の増減により陽極振動が発生する。 
【００３３】
図８（ａ）は、陽極振動が常に発生している状態の蛍光ランプ１の電圧波形を示す図であり、図８（ｂ）は、陽極振動が発生したり、消滅したりしている状態の蛍光ランプ１の電圧波形を示す図である。
図８（ａ）に示すように、陽極振動が常に発生している場合には同じ状態が継続するので、チラツキとして確認されない。一方、図８（ｂ）に示すように、陽極振動が発生したり、消滅したりする場合には、陽極振動が不規則に明滅（発生、消滅）を繰り返すことでチラツキとして確認される。 
【００３４】
図９は、陽極振動発生時の蛍光ランプ１の電極６の近傍の模式図である。
図９に示すように、フィラメントコイル１２の内部に水銀イオン（Ｈｇ＋）が滞留すると、陽極振動が消滅し、チラツキが発生する。
フィラメントコイル１２の形状によって水銀イオンの滞留のしやすさが変わるため，フィラメント形状がチラツキの原因と考えられている。
【００３５】
＜陽極振動の確認＞
陽極振動の確認を供試蛍光ランプを用いて行った。
陽極振動の評価を以下の条件で行った。
表１は、蛍光ランプにおける陽極振動の評価条件と評価結果を示す表である。   
【００３６】
【表１】
2018049755.tif 000003
【００３７】
評価条件は、入力電圧  １００％Ｖであり、表１に示すように、周囲温度２５℃および５０℃で評価を行った。
評価には、供試ランプとして、３重コイル１５が７ターンの７ターン第１蛍光ランプ、３重コイル１５が５ターンの５ターン第１蛍光ランプ、５ターン第２蛍光ランプを用いた。
【００３８】
表１において、「陽極振動の明滅」の欄の“×”は、陽極振動の明滅“有り”であり、“○”は、陽極振動の明滅“無し”である。
「チラツキ（目視）」の欄の分数は、分母が目視を行った回数であり、分子が“チラツキ”を目視した回数である。
【００３９】
表１より、以下のことが確認された。
第１に、５ターン第２蛍光ランプにおいては陽極振動の明滅およびチラツキは確認されなかった。そして、陽極振動が明滅している蛍光ランプはチラツキが確認された。これより、陽極振動の明滅によりチラツキの判定が可能である。 
第２に、周囲温度が高い方が蛍光ランプの“チラツキ”の発生率は高い。 
次に、陽極振動消滅に効果のある諸元の検討を実施した。
【００４０】
＜フィラメントコイル１２の検討結果＞
フィラメントコイル１２を試作して評価した結果を説明する。
＜３重コイル１５のピッチＰ３、内径ＭＤ３の影響＞
図１０は、評価に用いたフィラメントコイル１２を示す図である。
【００４１】
まず、３重コイル１５のピッチＰ３、内径ＭＤ３の影響を評価した。
従来の知見より、チラツキ対策に効果のある３重コイル１５の３次巻諸元（３重コイル１５のピッチＰ３、３重コイル１５の内径ＭＤ３）を変更したフィラメントを試作して評価した。具体的には、同一フィラメントコイルで継線寸法を変更し、３重コイル１５のピッチＰ３を広げた試作で評価する。
表２は、３重コイル１５のピッチＰ３、内径ＭＤ３を変化させた評価条件と評価結果を示す表である。
【００４２】
【表２】
2018049755.tif 000004
【００４３】
３重コイル１５のピッチＰ３、内径ＭＤ３の評価は、供試ランプとして、３重コイル１５が７ターンの７ターン第１蛍光ランプ、３重コイル１５が５ターンの５ターン第１蛍光ランプ、３重コイル１５が６ターンの６ターン第１蛍光ランプ、３重コイル１５が５ターンの５ターン第２蛍光ランプを用いた。
【００４４】
３重コイル１５の内径ＭＤ３は、７ターン第１蛍光ランプ、５ターン第１蛍光ランプがそれぞれ１．２ｍｍであり、６ターン第１蛍光ランプ、５ターン第２蛍光ランプがそれぞれ１．４ｍｍである。
【００４５】
ピッチＰ３は、７ターン第１蛍光ランプが１．０ｍｍと１．３ｍｍであり、５ターン第１蛍光ランプが１．４ｍｍと１．８ｍｍであり、６ターン第１蛍光ランプが１．２ｍｍと１．６ｍｍであり、５ターン第２蛍光ランプが０．９ｍｍと１．２ｍｍである。
【００４６】
「陽極振動の消滅」の欄の“×”は、陽極振動が “有り”であり、“○”は、陽極振動が “無し”であり、△は、陽極振動が“有り”と“無し”の中間である。
表２より、ピッチＰ３を大きくした方がチラツキを抑えられる傾向がある。しかし、従来、チラツキに対して効果のあるとされていたピッチＰ３、内径ＭＤ３寸法の変更は効果が少ない結果であった。
【００４７】
＜１重・２重コイル１３、１４のピッチＰ１、Ｐ２と、内径ＭＤ１、ＭＤ２、横ＣＤ１の影響＞
次に、図３（ｂ）に示す１重・２重コイル１３、１４のピッチＰ１、Ｐ２と、内径ＭＤ１、ＭＤ２、横ＣＤ１の影響を評価した。
なお、内径ＭＤ１、ＭＤ２は、それぞれ除去したモリブデン線の径である。横ＣＤ１は、前記したように螺旋状の１重コイル１３の一巻のコイルの最も長い径の長径をなす外径である。
表３は、１重・２重コイル１３、１４のピッチＰ１、Ｐ２と、内径ＭＤ１、ＭＤ２と、横ＣＤ１とを変化させた評価条件と評価結果を示す表である。
【００４８】
【表３】
2018049755.tif 000005
【００４９】
評価には、供試ランプとして、３重コイル１５が５ターンの５ターン第２蛍光ランプ、３重コイル１５が６ターンの６ターン第２蛍光ランプ、６ターン第３蛍光ランプ、６ターン第４蛍光ランプ、６ターン第５蛍光ランプ、３重コイル１５が７ターンの７ターン第１蛍光ランプ、３重コイル１５が５ターンの５ターン第１蛍光ランプ、３重コイル１５が６ターンの６ターン第１蛍光ランプを用いた。
【００５０】
評価条件は、第１のモリブデン線の内径ＭＤ１、１重コイル１３のピッチＰ１、第２のモリブデン線の内径ＭＤ２、２重コイル１４のピッチＰ２、エミッタ塗布量（ｍｇ）を変えて、周囲温度２５℃、５０℃で、チラツキを陽極振動の消滅で評価した。
「陽極振動の消滅」の欄の“×”は、陽極振動が“有り”であり、○は、陽極振動が“無し”を示す。
【００５１】
表３の陽極振動の消滅による評価により、周囲温度２５℃、５０℃において、Ｐ２/横ＣＤ１が１３１％、１２６％、１２１％で、陽極振動が“無し”（○）の結果であり、Ｐ２/横ＣＤ１が１６２％、１４９％、１５８％、１４８％で、陽極振動 が“有り”（×）の結果であった。
【００５２】
表３からＰ２（％）（（Ｐ２／横ＣＤ１）×１００）を、ほぼ１４０％以下に抑えることでチラツキ対策が可能であることが見出された。 
ここで、２重コイル１４のピッチＰ２が狭いと２重コイル１４同士がぶつかることから、（Ｐ２／横ＣＤ１）×１００＞１００％を条件として、
１００％＜（Ｐ２／横ＣＤ１）×１００≦１４０％
が成立する。
【００５３】
従来、蛍光ランプ１のランプ出力光のチラツキを抑える手段として、三重コイル１５のターンである最終ターンが問題とされていたが、以上の評価結果より、蛍光ランプ１の２重コイル１４のピッチ比（Ｐ２／横ＣＤ１）を設定することで出力光のチラツキが抑えられることが分かった。２次巻線のピッチ比Ｐ２（％）を、
１００％＜（Ｐ２／横ＣＤ１）×１００≦１４０％≦１４０％
とすることで、光出力のチラツキを抑え、かつ最終ターン数を減らすことなく寿命を満足できる蛍光ランプ１を提供できる。
【００５４】
＜＜その他の実施形態＞＞
１．前記実施形態では、直管型の蛍光ランプ１を例示して説明したが、環状に湾曲したガラス管２２（図１１参照）をもつ環形の蛍光ランプ２１においても、本発明は同様に適用できる。また、その他の形状のガラス管２の蛍光ランプにも適用できる。この場合も、光出力のチラツキを抑え、かつ最終ターン数を減らすことなく寿命を満足できる蛍光ランプを提供できる。
なお、図１１は、別例１の環形の蛍光ランプのガラス管２２を示す斜視図である。
【００５５】
２．なお、前記実施形態では、フィラメントコイル１２が３重コイル１５の場合に適用したが、フィラメントコイルが２重コイル２４（図１２参照）の場合も、当該２重コイル２４のピッチ比Ｐ１％を、１００％＜（Ｐ１／ＦＤ１）≦１４０％とすることで、光出力のチラツキを抑えられる。なお、図１２は、別例２の２重コイル２４のフィラメントコイル１２Ａを示す図である。
【００５６】
２重コイル２４とは、図１２に示すように、電線１２ａを第１のモリブデン線（図示せず）の周りに螺旋状に巻回して１重コイル２３とし、１重コイル２３を第２のモリブデン線（図示せず）の周りに螺旋状に巻回して２重コイルとしたものである。
【００５７】
３．なお、本発明の内容は、実施形態に限定されず、その趣旨を逸脱しない範囲内において適宜改変・変更などすることができることはいうまでもない。
【符号の説明】
【００５８】
１      蛍光ランプ
２、２２  ガラス管
２ｋ    蛍光体層
５      インナーリード線
６      電極
１２    フィラメントコイル
１２ａ  電線（コイル）
１３、２３  １重コイル
１４、２４  ２重コイル
１５    ３重コイル
ＦＤ１  １重コイルの電線の径
Ｐ１    １重コイルのピッチ
Ｐ２    ２重コイルのピッチ
横ＣＤ１  螺旋状の１重コイルの一巻のコイルの長径をなす外径
【図１】
2018049755.tif 000006
【図２】
2018049755.tif 000007
【図３】
2018049755.tif 000008
【図４】
2018049755.tif 000009
【図５】
2018049755.tif 000010
【図６】
2018049755.tif 000011
【図７】
2018049755.tif 000012
【図８】
2018049755.tif 000013
【図９】
2018049755.tif 000014
【図１０】
2018049755.tif 000015
【図１１】
2018049755.tif 000016
【図１２】
2018049755.tif 000017